(57)【要約】【課題】静脈ラインを確保した後に、静脈ラインが末梢静脈ラインであるか中心静脈ラインであるかの識別、患者に挿入された留置針の針外径、留置針またはカテーテルの挿入位置、留置針またはカテーテルの挿入時期を容易に把握する。【解決手段】ラベルに、静脈ラインが末梢静脈ラインであるか中心静脈ラインであるかを識別するための情報と、患者に挿入された留置針の針外径の情報と、患者に挿入された留置針またはカテーテルの挿入位置の情報と、患者に挿入された留置針またはカテーテルの挿入時期の情報を表示し、ラベルを点滴に用いるチューブの目立つ位置に貼り付ける。【選択図】図３
0003171571.tif 000002
【実用新案登録請求の範囲】
【請求項１】
チューブに取り付けて患者に挿入された静脈ラインの情報を識別するのに用いるラベルであって、前記静脈ラインが末梢静脈ラインであるか中心静脈ラインであるかを識別するための情報が表示されるラベル。
【請求項２】
チューブに取り付けて患者に挿入された静脈ラインの情報を識別するのに用いるラベルであって、患者に挿入された留置針の針外径の情報が表示されるラベル。
【請求項３】
チューブに取り付けて患者に挿入された静脈ラインの情報を識別するのに用いるラベルであって、患者に挿入された留置針またはカテーテルの挿入位置の情報が表示されるラベル。
【請求項４】
チューブに取り付けて患者に挿入された静脈ラインの情報を識別するのに用いるラベルであって、患者に挿入された留置針またはカテーテルの挿入時期の情報が表示されるラベル。
【請求項５】
チューブに取り付けて患者に挿入された静脈ラインの情報を識別するのに用いるラベルであって、前記静脈ラインが末梢静脈ラインであるか中心静脈ラインであるかを識別するための情報と、患者に挿入された留置針の針外径の情報と、患者に挿入された留置針またはカテーテルの挿入位置の情報と、患者に挿入された留置針またはカテーテルの挿入時期の情報が表示されるラベル。
【請求項６】
請求項１又は請求項５に記載のラベルであって、末梢静脈ラインであることをラベルの地色を当該末梢静脈ラインで用いる留置針の針外径を示す色彩と同じにすることにより表示し、中心静脈ラインであることをラベルの地色を留置針の針外径を示す色彩として用いられていない色彩にすることにより表示するラベル。
【請求項７】
請求項２又は請求項５に記載のラベルであって、静脈ラインが末梢静脈ラインであり、ラベルの地色が留置針の針外径を示す色彩と同じであるラベル。
【請求項８】
請求項３又は請求項５に記載のラベルであって、留置針またはカテーテルの挿入位置を人体のイラストに印をつけて表示するラベル。
【考案の詳細な説明】
【技術分野】
【０００１】本考案は、点滴静脈注射において、静脈ラインを確保した後に、静脈ラインの情報を把握するために用いるラベルに関する。具体的には、静脈ラインを確保した後に、静脈ラインが末梢静脈ラインであるか中心静脈ラインであるかの識別、患者に挿入された留置針の針外径、留置針またはカテーテルの挿入位置、留置針またはカテーテルの挿入時期を把握するために用いるラベルに関する。
【背景技術】
【０００２】点滴静脈注射は、輸液、輸血、薬剤の投与を目的としており、バッグ等に入れて吊るした輸液製剤、血液や薬剤を、静脈内に留置した留置針等から少量ずつ投与する方法である。バッグ等には薬液が無菌的に充填されており、患者の静脈に差し入れた留置針等とバッグ等とがチューブでつながっている。【０００３】静脈ラインには末梢静脈ラインと中心静脈ラインの二種類がある。末梢静脈ラインは留置針等を腕や脚などの皮下の静脈に挿入するルートであり、比較的手軽にラインを確保できるため頻繁に用いられるが、浸透圧の高い輸液には用いることができない等、制限がある。中心静脈ラインはカテーテルを上大静脈又は下大静脈に挿入するルートであり、太く血液量の多い静脈を用いるので高濃度の薬剤を投与できるが、合併症の危険を伴うといった特徴がある。【０００４】また、留置針には、外径が約０．６ミリ（２６ゲージ）から３．４ミリ（１０ゲージ）と様々なものがあり、点滴静脈注射の使用目的や患者の状態により、使い分けがされている。なお、２０１１年４月現在、末梢血管用留置針には、厚生労働省の管理のもと、２４ゲージ→黄色、２２ゲージ→濃紺、２０ゲージ→ピンク、１８ゲージ→深緑、１６ゲージ→灰色のように、外径に応じたカラーコードが付与されている。このカラーコードは国際標準化機構（ＩＳＯ）の規格と同じである。【０００５】医療現場では、患者の状態に応じて種々の静脈ラインが挿入される。手術や集中治療を受ける患者では、さまざまな外径の留置針やカテーテルが挿入され、一人の患者に、末梢静脈ラインと中心静脈ラインを含み数本の静脈ラインが同時に挿入される状況が頻繁に起きる。個々の静脈ラインの挿入位置や、挿入された時期も様々である。【０００６】患者に挿入された静脈ラインが末梢静脈ラインであるか中心静脈ラインであるかの識別、患者に挿入された留置針の針外径、留置針またはカテーテルの挿入位置、留置針またはカテーテルの挿入時期、といった静脈ラインの情報は、薬剤のバッグ等の記載、患者の静脈に挿入された留置針、カルテ等により判断することができる。また静脈ラインの情報は、医師や看護師が交代する際に、書面や口頭で後任者に伝えられる。【０００７】静脈ライン情報は、その後有効な投薬や輸血を行うために用いられる。また、静脈ライン情報如何により、その後の操作に適さない静脈ラインであることの判断も行われる。緊急時にはそのような判断は短い時間で行う必要がある。しかし、留置針は患者の衣類や夜具で隠れていることが多いために留置針を確認するには時間がかかり、また当該留置針によって現在投与されている薬剤を、留置針とつながるチューブを遡って確認する必要がある場合もあり、煩雑であった。緊急時には、静脈ラインの情報を短い時間で確実に把握する必要があり、問題があった。【０００８】特許文献１には、医療用のカテーテルにおいて、カテーテルの外径や材質を判別しやすくするために、チューブに識別用のマーカを設けたものが開示されている。
【先行技術文献】
【特許文献】
【０００９】
【特許文献１】実用新案登録第２５００３８８号公報
【考案の概要】
【考案が解決しようとする課題】
【００１０】本考案は、静脈ラインを確保した後に、静脈ラインが末梢静脈ラインであるか中心静脈ラインであるかの識別、患者に挿入された留置針の針外径、留置針またはカテーテルの挿入位置、留置針またはカテーテルの挿入時期を把握するために用いるラベルを提供することを課題とする。このラベルを静脈点滴注射のチューブに取り付けることにより、静脈ラインの情報を容易に把握し、安全かつ適切な点滴管理を行うことを課題とする。
【課題を解決するための手段】
【００１１】チューブに取り付けて患者に挿入された静脈ラインの情報を識別するのに用いるラベルであって、前記静脈ラインが末梢静脈ラインであるか中心静脈ラインであるかを識別するための情報が表示されるラベルによって課題を解決する。【００１２】静脈ラインが末梢静脈ラインであるか中心静脈ラインであるかの識別は、静脈点滴注射を行うために重要な情報である。用途や留意点が大きく異なるからである。識別する手段は、色彩で示したり文字で示したり、種々考えられる。また、予め印刷等により記されていてもよいし、取り付ける際に記入するのでも構わない。【００１３】重要なのは、識別のための情報がラベルに表示され、そのラベルがチューブに取り付けて用いられる点である。ラベルを用いることにより、点滴注射のチューブの見易い位置に自由に取り付けることができる。取り付け方は、容易に取り付けることができればいかなる方法でもよく、ラベルの裏面に糊を施しシールとして、チューブに巻きつけるように貼り付けてもよい。見易い位置にそのようなラベルが取り付けてあることにより、患者の衣類や夜具を取り除いたり、記録の書面を確認したりすることなく、末梢静脈ラインであるか中心静脈ラインであるかの識別が容易にできる。【００１４】チューブに取り付けて患者に挿入された静脈ラインの情報を識別するのに用いるラベルであって、患者に挿入された留置針の針外径の情報が表示されるラベルによって課題を解決する。【００１５】患者に挿入された留置針の針外径の情報は、投薬対象等を判断するために重要である。【００１６】チューブに取り付けて患者に挿入された静脈ラインの情報を識別するのに用いるラベルであって、患者に挿入された留置針またはカテーテルの挿入位置の情報が表示されるラベルによって課題を解決する。【００１７】患者に挿入された留置針またはカテーテルの挿入位置の情報とは、例えば「右腕」、「左腕」、「右脚」、「鎖骨下静脈（右）」、「大腿静脈（左）」、といった情報である。挿入位置の情報は、投薬対象等を判断するために重要である。【００１８】チューブに取り付けて患者に挿入された静脈ラインの情報を識別するのに用いるラベルであって、患者に挿入された留置針またはカテーテルの挿入時期の情報が表示されるラベルによって課題を解決する。【００１９】患者に挿入された留置針またはカテーテルの挿入時期の情報とは、留置針またはカテーテルが挿入された日時に関する情報である。挿入時期の情報は、留置針またはカテーテルを抜去、または交換する時期の判断に重要である。【００２０】チューブに取り付けて患者に挿入された静脈ラインの情報を識別するのに用いるラベルであって、前記静脈ラインが末梢静脈ラインであるか中心静脈ラインであるかを識別するための情報と、患者に挿入された留置針の針外径の情報と、患者に挿入された留置針またはカテーテルの挿入位置の情報と、患者に挿入された留置針またはカテーテルの挿入時期の情報が表示されるラベルによって課題を解決する。【００２１】静脈ラインに関する複数の情報を一つのラベルに集約して表示することにより、当該静脈ラインをどのように利用するのが適切か瞬時に判断できる。【００２２】チューブに取り付けて患者に挿入された静脈ラインの情報を識別するのに用いるラベルであって、静脈ラインが末梢静脈ラインであるか中心静脈ラインであるかを識別するための情報を表示する手段として、ラベルの地色に色彩を施す手段によって課題を解決する。その際の地色の色彩に関し、末梢静脈ラインにあっては当該末梢静脈ラインで用いる留置針の針外径を示す色彩と同じ色彩にすることにより表示する。そして、中心静脈ラインであることに関しては、ラベルの地色を、末梢静脈ラインの留置針の針外径を示す色彩として用いられていない色彩にすることにより表示する。【００２３】末梢静脈ラインで用いる留置針の針外径に関しては、厚生労働省の管理下、外径毎のカラーコードが定められている。当該カラーコードはＩＳＯ規格と同じであり、世界共通の規格である。この特徴を利用した手段である。すなわち、末梢静脈ラインについては、ラインで用いる留置針の針外径毎に定められたカラーコードと同じ色をラベルの地色に用いる。また、中心静脈ラインについては、前述のカラーコードで用いていない色をラベルの地色に用いる。医療従事者は、針外径と色彩の組み合わせに日常的に接しており、その結果、色彩から、針外径を瞬時に想起できるに至っている。このため、末梢静脈ラインで用いられていない色彩である、ということに関しても瞬時に想起でき、その結果、ラベルの色彩から末梢静脈ラインと中心静脈ラインの識別ができるものである。色彩によるこのような表示に加えて、中心静脈ラインを示す文字を表示してもよい。【００２４】末梢静脈ラインで用いる留置針の針外径を表示することに関し、ラベルの地色を、留置針の針外径を示す色彩と同じにすることにより課題を解決する。【００２５】留置針またはカテーテルの挿入位置を表示することに関し、人体のイラストに印をつけて表示するラベルによって課題を解決する。
【考案の効果】
【００２６】点滴静脈注射において、ライン情報を瞬時に把握できる。これにより、医療行為がスムーズに進行する。またこれにより、薬剤誤投与、ラインの長期留置といった事故を予防できる。
【図面の簡単な説明】
【００２７】
【図１】本考案に係る台紙付ラベルを示す。
【図２】本考案に係る台紙付ラベルを示す。
【図３】本考案に係るラベルをチューブに取り付けた状態を示す。
【図４】本考案に係るラベルをチューブに取り付けた状態を示す。
【考案を実施するための形態】
【００２８】図１及び図２に、本考案に係る台紙付ラベルを示す。ラベル３は、裏面に糊が施されてシール状にされている。台紙２に、ラベル３と挿入位置表示用シール４が張り付けてあり、台紙付ラベル１の状態で用いられる。
【００２９】図１に示す台紙付ラベルでは末梢静脈ラインで用いるラベルを示し、図２に示す台紙付ラベルでは中心静脈ラインで用いるラベルを示す。いずれのラベルも、日付記入欄と、留置針またはカテーテルを挿入する位置を表示するための人体のイラストが記してある。人体のイラストに付された丸い印は留置針またはカテーテルの位置を示すための印である。この丸い印の箇所に挿入位置表示用シール４を貼り付けて留置針またはカテーテルの挿入位置を示す。挿入位置表示用シール４を用いずに、丸い印位置に単にペンでチェック書きするだけでもよい。人体イラストのＲとＬの文字は、右（ｒｉｇｈｔ）と左（ｌｅｆｔ）を示す。
【００３０】図１の末梢静脈ラインを表示するラベルでは、地色に、現在のＩＳＯで定められたカラーコードに則して、黄色、濃紺、ピンク、深緑等の色が各々用いられている。図２の中心静脈ラインで用いるラベルでは、地色はオフホワイトである。オフホワイトはＩＳＯのカラーコードにない色彩である。中心静脈ラインで用いるラベルには「ＣＶ」の文字が記してある。「ＣＶ」はＣｅｎｔｒａｌ  Ｖｅｉｎの頭文字であり、中心静脈ラインを示すものとして医療現場で常用されている。
【００３１】台紙２には、ラベル３の他に、挿入位置表示用シール４が張り付けてある。挿入位置表示用シール４は、ラベルに用いられていない色でかつ目立つ色、例えば赤色が施してある。
【００３２】点滴静脈注射の際、血管に留置針またはカテーテルを挿入して薬剤等の封入されたバッグとチューブと接続した後、ラインに応じて末梢静脈用ラベルであるか中心静脈用のラベルであるかを選択し、ラベルに挿入時期を書き込み、挿入位置表示用シール４を人体の丸印に貼り付ける。次に、台紙２からラベル３を剥がし、チューブの見やすい位置に巻きつけるように貼り付ける。滴下筒やクレンメの近く等、高い位置に取り付けることにより視認性が高まり、三方活栓の近くに取り付けることにより、ライン情報を確認しながら薬剤の注入ができる。また、一つの輸液ラインに同じものを二枚張るなど使い方を工夫することにより、点滴ボトルの交換時、薬液注入時、ラインを繋げ替えるとき等に生じうるミスを予防できる。
【００３３】図３と図４に、ラベル３をチューブ５に張り付けた状態を示す。図３の（ａ）は、静脈ラインが末梢静脈ラインであり、留置針が右腕に挿入してあることを示す。図３の（ｂ）は、静脈ラインが中心静脈ラインであり、カテーテルが左頚部付近（内頚静脈又は鎖骨下静脈）に挿入してあることを示す。図４に示す日時の表示により、留置針またはカテーテルの挿入が４月２１日１５時に行われたことを示す。
【符号の説明】
【００３４】１  台紙付ラベル
２  台紙
３  ラベル
４  挿入位置表示用シール
５  チューブ
【図１】
0003171571.tif 000003
【図２】
0003171571.tif 000004
【図３】
0003171571.tif 000005
【図４】
0003171571.tif 000006
【手続補正書】
【提出日】平成23年9月5日(2011.9.5)
【手続補正２】
【補正対象書類名】実用新案登録請求の範囲
【補正対象項目名】全文
【補正方法】変更
【補正の内容】
【実用新案登録請求の範囲】
【請求項１】
ラベルが貼り付けてあり、静脈ラインに用いるチューブであって、
前記静脈ラインが末梢静脈ラインであることが、前記ラベルの地色が当該末梢静脈ラインで用いる留置針の針外径を示す色彩と同じにされることにより表示され、
前記静脈ラインが中心静脈ラインであることが、前記ラベルの地色が留置針の針外径を示す色彩として用いられていない色彩にされることにより表示され、
前記ラベルに患者に挿入された留置針又はカテーテルの挿入位置が表示されるチューブ。
【請求項２】
請求項１に記載のチューブに貼り付けるラベルであって、
前記ラベルは台紙に貼られており、
前記台紙に挿入位置表示用シールが貼られており、
前記台紙から剥がされた挿入位置表示用シールが前記ラベルに貼られることにより留置針又はカテーテルの挿入位置が表示されるラベル。